(57)【要約】【課題】簡単に折畳めて携帯でき、かつ立体造形状態では自立性を維持できるようにした上記魚釣り用容器に最適の箱形容器を提供する。【解決手段】容器本体１を構成する側板部３が、可撓性シート材からなり、容器本体１を偏平に折り畳み得るようにした箱形容器において、前記側板部３に沿って収納ポケット７を形成し、該収納ポケット７内に硬質ボード材８を挿抜可能に格納することにより容器本体１に自立性を付与し、硬質ボード材８を抜き出すことにより容器本体１を偏平に折り畳むようにする。【選択図】        図１
2004250081.tif 000002
【特許請求の範囲】
【請求項１】
容器本体を構成する側板部が、可撓性シート材からなり、容器本体を偏平に折り畳み得るようにした箱形容器において、
前記側板部に沿って収納ポケットを形成し、該収納ポケット内に硬質ボード材を挿抜可能に格納することにより、容器本体に自立性を付与することを特徴とする箱形容器。
【請求項２】
容器本体を構成する側板部が、可撓性シート材からなり、容器本体を偏平に折り畳み得るようにした箱形容器において、
前記側板部を構成するシート材の少なくとも対向する二面を二重とし、かつその外側シート材の上縁若しくは上部にスリット状の挿入口を形成し、該挿入口を通じて内外のシート材間に形成された収納ポケットに、硬質ボード材を挿抜可能に格納することにより、容器本体を自立状態に保持することを特徴とする箱形容器。
【請求項３】
前記側板部の各面のうち、四面全体の本体シート材の外側に二重に外側シート材を設けることにより、容器本体の四面に前記収納ポケットを設け、四面の収納ポケットそれぞれに、前記硬質ボード材を挿抜可能に格納することを特徴とする請求項１又は２記載の箱形容器。
【請求項４】
前記挿入口の外側にこれを覆う覆片を設けたことを特徴とする請求項１乃至３のいずれか１項に記載の箱形容器。
【請求項５】
前記硬質ボード材が軽量断熱素材から構成されていることを特徴とする請求項１乃至４のいずれか１項に記載の箱形容器。
【請求項６】
前記側板部の上部開口面に平面形を保持するための枠縁を一体化したことを特徴とする請求項１乃至５のいずれか１項に記載の箱形容器。
【発明の詳細な説明】
【０００１】
【発明の属する技術分野】
本発明は、折畳んで携帯可能な箱形容器、特に、撒き餌を貯蔵し又は釣り上げた魚を入れておくビク代わりの魚釣り用容器などに用いて好適な箱形容器に関する。
【０００２】
【従来の技術】
例えば、船釣、磯釣などで魚をおびき寄せるためにオキアミなどの撒き餌を頻繁に使用する。その撒き餌の劣化を防止するためと、周囲にまき散らすことを防止することを目的として魚釣り用容器が使用される。この容器は、釣場まで持運ぶ際、かさばらないように、偏平に折畳んで釣具運搬用バッグに格納して携帯し、釣場では容器を立ち上げることにより、撒き餌用容器として使用する。この箱形容器は、その材質が、汚れやにおいがついても洗えば直ちに落せる樹脂材料でできており、折畳みも容易で、携帯性にも優れている。
【０００３】
【発明が解決しようとする課題】
しかしながら、この従来の箱形容器の構造では、折畳んだ状態では、折畳み癖が付き、立上げ状態では完全に立方体とならず、多少ゆがんだ状態となる。また、風が吹いたり、何かに引っかかった際に、保形性に乏しいため、癖付どおりに折畳まれてしまい、内容物があふれて外にでてしまうほか、蓋をした状態でも上部にものを乗せることができないなどの課題があった。
【０００４】
そこで、本発明は以上の課題を解決するためになされたものであり、その目的は、簡単に折畳めて携帯でき、かつ立体造形状態では自立性を維持できるようにした上記魚釣り用容器に最適の箱形容器を提供するものである。
【０００５】
【課題を解決するための手段】
上記の目的を達成するため、本発明は、図の実施の形態にも示すように、容器本体１を構成する側板部３が、可撓性シート材からなり、容器本体１を偏平に折り畳み得るようにした箱形容器において、
前記側板部３に沿って収納ポケット７を形成し、該収納ポケット７内に硬質ボード材８を挿抜可能に格納することにより、容器本体１に自立性を付与することを特徴としている。
【０００６】
また、本発明では、容器本体１を構成する側板部３が、可撓性シート材からなり、容器本体１を偏平に折り畳み得るようにした箱形容器において、
前記側板部３を構成するシート材の少なくとも対向する二面を二重とし、かつその外側シート材３ｂの上縁若しくは上部にスリット状の挿入口７Ａを形成し、該挿入口７Ａを通じて内外のシート材間に形成された収納ポケット７に、硬質ボード材８を挿抜可能に格納することにより、容器本体１を自立状態に保持することを特徴としている。
【０００７】
前記側板部３の各面のうち、四面全体の本体シート材（内側シート材３ａ）の外側に二重に外側シート材３ｂを設けることにより、容器本体１の四面に前記収納ポケット７を設け、四面の収納ポケット７それぞれに、前記硬質ボード材８を挿抜可能に格納することができる。
【０００８】
また、前記挿入口７Ａの外側にこれを覆う覆片１１を設けることにより、硬質ボード材８を外側から見えないようにするとともに、その抜け出しを防止することができる。
【０００９】
さらに、前記硬質ボード材８を軽量断熱素材から構成させることにより、保冷効果も期待でき、簡素なクーラーボックスとしても使用可能である。
【００１０】
またさらに、前記側板部３の上部開口面に平面形を保持するための枠縁１０を一体化して設けることにより、平面形状の保形性を得ることができる。
【００１１】
【発明の実施の形態】
以下、本発明の好ましい実施の形態につき、添付図面を参照して詳細に説明する。
図１乃至図４は、本発明の第１の実施の形態に係る箱形容器を示すものである。箱形容器の容器本体１は、底板２と、底板２の上部に一体に立ち上げ形成された上下偏平に折り畳み可能な可撓性の側板部３とにより構成される。また、容器本体１の開口部を開閉可能に覆う蓋４と、短尺側の側板部３に両端固定された図の携帯用のショルダーストラップのような携帯部５が設けられている。
【００１２】
前記底板２は、比較的硬質な塩ビシートのような熱可塑性樹脂シートからなるものであり、角度部Ｒのついた長方形の底面形状とされている。
また、前記側板部３は軟質で可撓性に富む塩ビシートのような熱可塑性樹脂シートからなるものであり、本体シート材を構成する内側シート材３ａと外側シート材３ｂが、各４面の境界位置で高周波、または超音波ウエルダ加工などにより、側板部３の各角面に縦方向の一対の接合部６を設けて袋状に溶着するとともに、それぞれの下縁を前記底板２の周縁に高周波または超音波ウエルダ加工などの溶着により気密に一体化したものである。容器本体１の４面に沿って隣接する接合部６、６間が収納ポケット７とされている。
【００１３】
各面における外側シート３ｂの上部側位置には前記内側シート材３ａと外側シート材３ｂとの間に形成された袋状の収納ポケット７の内部に連通する水平なスリット状の挿入口７Ａが形成される。この挿入口７Ａを通じて内外側のシート材３ａ，３ｂによって囲われた袋状の収納ポケット７内部に、それぞれ長尺側及び短尺側側面に応じてカッティングされた硬質ボード８を挿抜可能に格納する。格納状態では、箱形容器本体１は、図１，２に示すように箱形の立体造形を保つことができるようになっている。また、外側シート材３ｂの下部２カ所には収納ポケット７内部に侵入した水の排水用の小孔９が開口されている。
【００１４】
前記内側シート材３ａと外側シート材３ｂの各上縁は、図２の一部に拡大して示すように、ワイヤなどを開口面形状に曲成した剛性に富む上部枠縁１０に巻込んで縫合することで、平面形状の剛性を保持している。またこの縫合位置には、前記各挿入口７の開口部外側を覆う軟質塩ビシート等からなるベローズ状の覆い片１１、及び上縁のほぼ全周に亘るスライドファスナー１３のファスナーテープ１２が縫合により固着されている。
【００１５】
前記外側シート材３ｂの上縁を本体シート材を構成する内側シート材３ａの下方に設定して、外側シート材３ｂの上縁に挿入口７Ａを形成しても良く、また、本実施の形態のように外側シート材３ｂの上部に横方向に切込みスリット状に挿入口７Ａを形成しても良い。
【００１６】
前記蓋４は、軟質塩ビシートなどからなる軟質樹脂シートの蓋本体１４と、蓋本体１４の周縁に縫合などによって一体化されたファスナーテープ１５と、側板部３の一方の長尺側中央部にあって、前記蓋４を開閉可能にヒンジする布ヒンジ１６とからなっている。
そして、前記各ファスナーテープ１２，１５の対向部にはこれに沿ってそれぞれ多数のスライドファスナー１３を構成する噛合素子が配列され、これら噛合素子を跨いで一対のスライダー１７を走行移動させることで、図示のごとく蓋４により容器１の上面開口を開閉可能に覆っている。
【００１７】
図示の閉蓋状態から蓋４を開けるには、両スライダー１７を布ヒンジ１６の両側部まで移動させ、次いで布ヒンジ１６を基点として蓋４を回動することで開口部を全開できる。
【００１８】
前記ショルダーストラップよりなる携帯部５は、側板３の短尺側において、側板部３に高周波または超音波ウエルダ加工により溶着された把手兼用取付け具１８に両端固定されたものであって、長さ調整用こき１９、ショルダーパッド２０などを備えている。
【００１９】
前記硬質ボード８は、例えば高密度発泡ポリスチレン、あるいは高密度発泡ＰＥ，ＰＰなどの高剛性、軽量かつ断熱性のある素材であって、例えば厚さ３ｍｍ程度であっても充分な縦強度を有し、かつその断熱性により容器本体１の内部にある程度の保冷機能をもたらすことができ、これによって容器を簡易クーラボックスなどとして使用可能とするものである。
【００２０】
従って、前記各硬質ボード８が側板部３の四面の収納ポケット７に格納されている状態では、上部枠縁１０の剛性とともに、容器１上に重量物を設置していても充分に保形性が保たれ、かつ保冷機能により、腐敗しやすいもの、例えば釣などによる獲物あるいはオキアミなどの撒き餌を水、氷とともに収納した状態でも充分に液密かつ冷却状態を保って搬送することができる。
【００２１】
以上の箱形容器が空の場合には、各硬質ボード８を挿入口７Ａを通じて抜出し、図３に示すように、上から押しつぶし力Ｆを加えれば、側板部３はその可撓性により平坦状に折畳みできる。この状態において、平面形は上部枠縁１０の剛性により保持されたままであり、抜出した各硬質ボード８，９は図示のごとく予め底板２の内底面に積重ねておけば、紛失のおそれもない。また、この状態では携帯用ストラップよりなる携帯部５を平坦状になった容器１の上下に回して緊縛すれば戻りなどもなく、コンパクトにまとめて搬送できる。
【００２２】
この状態から、再び立体造形するには、図４に示すように、容器本体１の上部を引張り上げ、各挿入口７Ａを通じて硬質ボード８，９を側板部３の各面に挿通し、覆片１１で挿入口７Ａの外側を覆えば、時間経過に応じて折畳み皺や癖も消え、再び元の図１，２に示す箱形に立体造形されるのである。
【００２３】
さらに前記実施形態で図示した容器本体１は、適宜な縦横高さ寸法としているが、これらは例えば折畳み状態で底板２の内底面に硬質ボード８を収納できるような幾何寸法の範囲内であれば、これら寸法は使用用途に応じて自由に変更できることも勿論である。
また、硬質ボード８の上縁に手掛け用の突起あるいは孔などの把手部を設けることができる。
【００２４】
図５は、第２の実施形態を示す。
前記第１の実施形態においては、側板部３の四面全体に形成した収納ポケット７に、硬質ボード８を格納する構造としたが、第２の実施形態では、対向する長尺側側面または、短尺側側面の二カ所に収納ポケット７を形成し、硬質ボード８を格納する構造としている。
この収納ポケット７、７は、矩形状の外側シート材３ｂの左右側縁を、本体シート材を構成する内側シート材３ａに溶着して接合部６、６とし、接合部６、６間を収納ポケット７としている。収納ポケット７の上縁（挿入口７Ａ）と下縁は、上下方向に開口している。従って、収納ポケット７内に挿入される硬質ボード８の下縁は、底板２の周縁フランジ２Ａ上に設置される。
この実施の形態では、携帯部５は、上部左右の把手により構成されている。
【００２５】
【発明の効果】
以上の説明により明らかなように、本発明による箱形容器によれば、簡単に折畳めて携帯でき、かつ周囲の収納ポケット内に硬質ボードを収納した立体造形状態では、自立性を維持でき、魚釣り用容器として最適の効果がある。
【図面の簡単な説明】
【図１】本発明の第１の実施形態に係る箱形容器の立体造形状態を示す斜視図である。
【図２】図１のＡ−Ａ線における一部拡大部分を含む部分断面図である。
【図３】同折畳み状態を示す部分断面図である。
【図４】同折畳み状態から立ち上げた状態を示す斜視図である。
【図５】本発明の第２の実施形態に係る箱形容器の立体造形状態を示す斜視図である。
【符号の説明】
１  容器本体
２  底板、２Ａ  フランジ
３  側板部
３ａ  内側シート材（本体シート材）
３ｂ  外側シート材
４  蓋
５  携帯部
６  接合部
７  収納ポケット、７Ａ  挿入口
８  硬質ボード
１０  縁枠
１１  覆片
１３  スライドファスナー
１２、１５  ファスナーテープ
１４  蓋本体
１６  布ヒンジ
１７  スライダー
【図１】
2004250081.tif 000003
【図２】
2004250081.tif 000004
【図３】
2004250081.tif 000005
【図４】
2004250081.tif 000006
【図５】
2004250081.tif 000007